(57)【要約】      （修正有）【課題】組み付け作業性の良好な扉用錠装置の提供。【解決手段】ロック位置において装置筐体の扉の開操作を規制し、アンロック位置において規制解除するロック体３と、装置筐体の側壁に固定されて前記ロック体３を保持する錠ケース４内に、シリンダ錠５により回転駆動されるカム６、およびカム６により並進駆動され、施錠位置においてロック体３内に侵入してロック体３をロック位置に拘束するロックピン７を収容した錠本体８とを有し、ロックピン７とカム６とは、錠ケース４に開設され、装置筐体への取付面に開放される収容凹部９に位置決めされて嵌合されるとともに、収容凹部９を閉塞するカバー体により嵌合状態の離脱が規制されて保持され、かつ、カム６とシリンダ錠５とは、シリンダ錠５の錠ケース４への装着動作に伴い回転方向に連結される。【選択図】図４
2007113332.tif 000002
【特許請求の範囲】
【請求項１】
ロック位置において装置筐体の扉の開操作を規制し、アンロック位置において規制解除するロック体と、
装置筐体の側壁に固定されて前記ロック体を保持する錠ケース内に、シリンダ錠により回転駆動されるカム、およびカムにより並進駆動され、施錠位置においてロック体内に侵入してロック体をロック位置に拘束するロックピンを収容した錠本体とを有し、
前記ロックピンとカムとは、錠ケースに開設され、装置筐体への取付面に開放される収容凹部に位置決めされて嵌合されるとともに、収容凹部を閉塞するカバー体により嵌合状態の離脱が規制されて保持され、
かつ、カムとシリンダ錠とは、シリンダ錠の錠ケースへの装着動作に伴い回転方向に連結される扉用錠装置。
【請求項２】
前記収容凹部にはロックピンをロック体への侵入方向に付勢する圧縮スプリングが収容されるとともに、
カムは、施錠回転位置において前記圧縮スプリングの付勢力によるロックピンのロック体への侵入動作のみを許容して退避方向移動を規制するとともに、解錠回転位置において前記圧縮スプリングの付勢力に抗してロックピンをロック体からの退避位置に強制移動させるように形成され、
かつ、カムとシリンダ錠との間には、シリンダ錠の施錠状態において、カムに施錠回転位置と解錠回転位置との中間回転位置までの回転を許容する遊び角が設定される請求項１記載の扉用錠装置。
【請求項３】
前記ロック体は、先端に扉規制部を有してＬ字杆状に形成されて錠本体に回転自在に保持され、
ロック位置において扉規制部を扉の開き軌跡に干渉させて扉の開放操作を規制する請求項１または２記載の扉用錠装置。
【発明の詳細な説明】
【技術分野】
【０００１】
本発明は、扉用錠装置に関するものである。
【背景技術】
【０００２】
装置筐体の開口を閉塞する扉を施錠するための扉用錠装置としては、特許文献１に記載のものが知られている。この従来例において、扉用錠装置はＬ字状に屈曲されたアーム（ロック体）と、ロック体を保持するロック部（錠本体）とから構成される。
【０００３】
錠本体にはシリンダ錠と、シリンダ錠により並進駆動されてロック体に進退する係合ピストン（ロックピン）と、ロックピンをロック体側に付勢する圧縮スプリングとが収容される。シリンダ錠が施錠状態のとき、ロックピンは圧縮スプリングの付勢力によりロック体に侵入してロック体の移動を規制する。この状態からシリンダ錠を解錠方向に回転させると、ロックピンは圧縮スプリングの反力に抗して退避動作し、ロック体に対する拘束が解除される。
【特許文献１】実用新案登録第３０２６２９７号公報
【発明の開示】
【発明が解決しようとする課題】
【０００４】
しかし、上述した従来例は、ロックピン等を錠本体のケースに開設された挿入スペースに順次組みつけていく必要があるために、組み付け作業性が悪いという問題がある。
【０００５】
本発明は、以上の欠点を解消すべくなされたものであって、組み付け作業性の良好な扉用錠装置の提供を目的とする。
【課題を解決するための手段】
【０００６】
本発明によれば上記目的は、
ロック位置において装置筐体１の扉２の開操作を規制し、アンロック位置において規制解除するロック体３と、
装置筐体１の側壁に固定されて前記ロック体３を保持する錠ケース４内に、シリンダ錠５により回転駆動されるカム６、およびカム６により並進駆動され、施錠位置においてロック体３内に侵入してロック体３をロック位置に拘束するロックピン７を収容した錠本体８とを有し、
前記ロックピン７とカム６とは、錠ケース４に開設され、装置筐体１への取付面に開放される収容凹部９に位置決めされて嵌合されるとともに、収容凹部９を閉塞するカバー体１０により嵌合状態の離脱が規制されて保持され、
かつ、カム６とシリンダ錠５とは、シリンダ錠５の錠ケース４への装着動作に伴い回転方向に連結される扉用錠装置を提供することにより達成される。
【０００７】
錠装置は、ロック位置において扉２の開操作を規制するロック体３と、ロック体３をロック位置に拘束する錠本体８とを有する。錠本体８とロック体３とは、ロック体３がロック位置にあるときに錠本体８が拘束可能状態となれば足り、ロック解除位置において相互に分離するものであっても、あるいは分離不能なものであってもよい。また、ロック体３は、杆形状、レバー形状等、適宜の形状が採用され、ロック位置とロック解除位置との間の移動も、水平回転を伴うもの、垂直回転を伴うもの、あるいはこれに並進移動が加わるもの等、種々の変形が可能である。
【０００８】
ロック体３のロック位置への拘束は、ロック体３に開設されたロック孔３ａにロックピン７を侵入させて行われる。錠ケース４外部からロックピン７を操作するために、シリンダ錠５と、シリンダ錠５により回転駆動されるカム６とが配置され、シリンダ錠５への施解錠回転操作は、カム６によりロックピン７の並進移動に変換される。
【０００９】
上記ロックピン７とカム６とは錠ケース４に開設され、装置筐体１への取付面に開放される収容凹部９内に位置決めされて嵌合され、収容凹部９を閉塞するカバー体１０を固定した状態で脱落が完全に防止される。
【００１０】
したがって本発明においては、ロックピン７とカム６を収容凹部９内に嵌合するようにして装着した後、カバー体１０を閉塞し、シリンダ錠５を挿入するだけで組立操作が完了するので、組立操作性が向上する。
【００１１】
カム６はカム面をロックピン７の被接触部に当接させてロックピン７を並進移動するように構成され、カム６とロックピン７との動作の関係は、適宜決定される。例えば、カム６のカム面を、カム６の回転位置とロックピン７の位置とが完全に一対一対応するように形成した場合には、カム６が解錠回転位置のとき、ロックピン７はロック体３からの退避位置に固定される。このため、ロックピン７をロック体３に侵入させてロック体３をロックするには、シリンダ錠５を施錠方向に回転操作する必要がある。
【００１２】
これに対し、収容凹部９にロックピン７をロック体３への侵入方向に付勢する圧縮スプリング１１が収容するとともに、
カム６は、施錠回転位置において前記圧縮スプリング１１の付勢力によるロックピン７のロック体３への侵入動作のみを許容して退避方向移動を規制するとともに、解錠回転位置において前記圧縮スプリング１１の付勢力に抗してロックピン７をロック体３からの退避位置に強制移動させるように形成され、
かつ、カム６とシリンダ錠５との間には、シリンダ錠５の施錠状態において、カム６に施錠回転位置と解錠回転位置との中間回転位置までの回転を許容する遊び角が設定される扉用錠装置を構成した場合には、ロック体３のロック位置への移動に伴って自動的にロックピン７をロック体３に侵入させることができ、使い勝手を向上させることができる。
【００１３】
すなわち、カム６は施錠回転位置においてロックピン７のロック孔３ａへの侵入動作を許容し、解錠回転位置においてロックピン７をロック体３からの退避位置に強制移動させる形状に形成される。このため、カム６が施錠回転位置にあるときには、ロックピン７は圧縮スプリング１１の付勢力によりロック孔３ａに侵入する。
【００１４】
これに対し、シリンダ錠５が解錠状態のときにはロックピン７は退避位置に固定され、この状態からシリンダ錠５を施錠操作すると、シリンダ錠５とカム６との間には回転方向遊び角が設定されているために、カム６は施錠回転位置まで駆動されることなく、中間回転位置に留まる。シリンダ錠５により解錠回転位置から中間回転位置までドライブされたカム６は施錠回転位置方向のみに空転領域を有する。この状態でロック体３のロック孔３ａがロックピン７に正対する位置、すなわちロック体３がロック位置に移動すると、ロック体の一般部によりロック体３内への移動が規制されていたロックピン７はロック体３への移動が可能となり、同時にカム６はロックピン７から回転力を与えられて施錠回転位置に回転する。
【００１５】
カム６は、施錠回転位置においてロックピン７のロック体３からの退避位置への移動を規制する形状をしているために、施錠状態において錠ケース４に打撃力を付与し、慣性によりロックピン７を降下させることによる不正解錠操作が完全に防止される。また、錠ケース４を打撃することによるロックピン７の降下をカム６により規制することにより、圧縮スプリング１１の反力を上記慣性力に抗することができるまで大きくする必要がないために、シリンダ錠５を操作する際の抵抗も小さくすることが可能であり、良好な操作性を得ることができる。
【発明の効果】
【００１６】
本発明によれば、ロックピン、カムを錠ケースの所定位置に嵌合させるようにセットし、カバー体を固定するだけで組み付けることができるために、組み付け作業性を良好にすることができる。
【発明を実施するための最良の形態】
【００１７】
図１以下に自動販売機用錠装置として構成された本発明の実施の形態を示す。図１に示すように、自動販売機は、装置筐体１の前面開口を扉２により開放可能に閉塞して形成される。
【００１８】
錠装置は、装置筐体１の側壁に固定される錠本体８に保持されるロック体３を有する。ロック体３は、一端部に扉規制部１２を形成してＬ字杆状に形成され、図１（ａ）、（ｂ）に示すように、扉規制部１２を扉２に正対させることにより扉２の開放操作を規制することができる（ロック位置）。
【００１９】
図２に示すように、ロック体３は錠本体８の錠ケース４に形成される杆保持孔４ａに回転自在、かつ、摺動自在に挿入されており、図１（ｃ）に示すように、ロック位置から一旦正面側に引き出した後、図１（ｄ）に示すように、回転させることによって扉規制部１２を扉２の開放軌跡から退避させ、扉２の開放操作を可能にすることができる（ロック解除位置）。
【００２０】
また、上記錠本体８には、自動販売機の正面側にキー挿入開口５ａを向けてシリンダ錠５が固定されており、このシリンダ錠５を施錠操作することにより、図２に示すように、錠本体８内のロックピン７をロック体３のロック孔３ａに侵入させることができる。この状態でロック体３は錠本体８に対して相対移動不能となり、ロック位置に拘束される。
【００２１】
図３、４にロック体３の詳細な構成を示す。ロック体３は、ステンレス鋼棒をＬ字形状に折り曲げて摺動杆部１３ａと扉規制部１２とを形成した杆主体部１３を有する。扉規制部１２の先端には、キャップ部材１２ａがねじ止めされ、摺動杆部１３ａの後端部（以下、本明細書において錠装置を装置筐体１に固定した状態で、扉２側を「前方」とする。）には、ロック体３の錠本体８から引き出しストロークを規制し、ロック体３の錠本体８からの不用意な抜去を防止するストッパピン１３ｂがねじ込まれる。
【００２２】
上記杆主体部１３の摺動杆部１３ａには、所定ピッチで複数のねじ孔１３ｃが摺動杆部１３ａの長手方向に配置され、これらねじ孔１３ｃの適数を覆うように、筒状スペーサ１４が固定される。筒状スペーサ１４は、摺動杆部１３ａに外嵌合され、ボルト１５を使用して杆主体部１３にねじ止めされる。
【００２３】
ボルト１５は、筒状スペーサ１４の前端縁近傍に開設された貫通孔（図示せず）を貫通して上記摺動杆部１３ａに形成されるねじ孔１３ｃのいずれかにねじ込まれる。図３に示すように、筒状スペーサ１４を摺動杆部１３ａに固定した状態で後端縁に隣接するねじ孔１３ｃのみがロック孔３ａとして利用され、他のねじ孔１３ｃは埋め込みボルト１５を使用して閉塞される。
【００２４】
図４に示すように、筒状スペーサ１４を固定した状態において、ボルト１５からロック孔３ａまでの間隔は、後述するボルト収容スペース４ｂとロックピン７までの間隔に一致し、ロックピン７とロック孔３ａとの対応関係によりロック体３のロック位置における飛び出し寸法が決定される。
【００２５】
したがってこの実施の形態において、装置筐体１への錠本体８の固定位置、あるいは扉２の厚さ等に応じて筒状スペーサ１４の固定位置を変更することにより扉規制部１２の位置を簡単に適正位置に位置させることができる。また、このとき、筒状スペーサ１４はロック孔３ａとして利用されるべきねじ孔１３ｃを指定するためのスケールとして機能するために、ロック孔３ａの位置決定が簡単になる。
【００２６】
以上のように構成されるロック体３は、太さの異なる適数種の杆主体部１３と、各杆主体部１３用に設定される筒状スペーサ１４とを組み合わせて構成される。図３（ｂ）、（ｃ）に示すように、複数種の筒状スペーサ１４は、内径寸法が対応する杆主体部１３が挿通可能に変更されただけで、外径、長さ、貫通孔位置等は同一に形成される。この結果、図４に示すように、どの組み合わせのロック体３も最大外径は同一となり、同一の杆保持孔４ａに挿通させることができる。また、筒状スペーサ１４を装着することにより発生する筒状スペーサ１４の肉厚に相当する段差をロック体３の押し込み方向のストッパとして利用するために、錠ケース４の杆保持孔４ａ側には筒状スペーサ１４の後端面に当接するストッパ段差４ｃが形成される。
【００２７】
一方、上記錠本体８の錠ケース４には、上述したロックピン７に加え、カム６、圧縮スプリング１１、およびシリンダ錠５が配置される。図７に示すように、シリンダ錠５は、シリンダケース５ｂ内にロータ５ｃを回転操作可能に挿入して形成される。図６に示すように、ロータ５ｃの端部はカム６に回転力を伝達することができるように、円柱側壁を平行な２面で切断した小判断面形状を有する。この実施の形態において、図６（ａ）に示すように、平行面が水平姿勢となった状態が施錠回転位置に、図６（ｂ）に示すように、垂直姿勢になった状態が解錠回転位置に各々対応し、ロータ５ｃを回転操作するための解錠キーは、ロータ５ｃが施錠回転位置にあるときだけ抜き差しができる。
【００２８】
図５、６に示すように、ロックピン７は、中心基部７ａの上端に上記ロック体３のロック孔３ａに進退するロック用頭部７ｂを備える。中心基部７ａの前面には、後述するカム６のカム突部６ａを上下から挟み込む一対のカム受け膨隆部７ｃが形成され、上方のカム受け膨隆部７ｃによって、水平部の一端に斜面部を形成した上部カム受け面７ｄが形成される。また、下方のカム受け膨隆部７ｃは、水平面からなる下部カム受け面７ｅを形成する。
【００２９】
圧縮スプリング１１は、ロックピン７の中心基部７ａの下端面に開設されるスプリング収容孔７ｆ内に上端部が挿入され、後述する錠ケース４の収容凹部９に収容された状態で、ロックピン７を上方、すなわち、ロック用頭部７ｂがロック体３のロック孔３ａに進入する方向に付勢する。
【００３０】
カム６は、円板部６ｂの背面にカム突部６ａを膨隆して形成され、中心部には、上記シリンダ錠５のロータ５ｃに外嵌合するロータ嵌合孔６ｃが貫通孔状に形成される。カム突部６ａは、角状に側方に突出するピン移動阻止突部６ｄを備え、カム６は、図６（ａ）に示すように、ピン移動阻止突部６ｄが上方を向く施錠回転位置と、図６（ｂ）、（ｃ）に示すように、ピン移動阻止突部６ｄが側方を向く解錠回転位置との間で回転駆動される。上記ロックピン７の上部カム受け面７ｄは、カム６が施錠回転位置にあるときに、水平部がピン移動阻止突部６ｄに正対するように形成される。
【００３１】
さらに、カム６のロータ嵌合孔６ｃとロータ５ｃとの間には、図６（ｄ）に示すように、ロータ５ｃが施錠回転位置にあるときにカム６が施錠回転位置と解錠回転位置の中間位置を取ることができるように回転方向遊び角が設定されている。この結果、ロータ５ｃを図６（ｂ）に示す解錠回転位置から図６（ｄ）に示す施錠回転位置に回転させた場合、ロータ５ｃは回転方向遊び角の範囲内で空転した後、図６（ｃ）に示すように、カム６の駆動を開始するために、カム６は、中間回転位置までしか駆動されない。
【００３２】
したがってこの実施の形態において、図６（ａ）に示すように、ロータ５ｃが施錠回転位置にあるときには、圧縮スプリング１１により上方に付勢されるロックピン７の下部カム受け面７ｅはカム突部６ａに当接する。この状態でロック用頭部７ｂがロック体３のロック孔３ａに侵入し、ロック体３の回転、摺動方向の移動が規制される。また、この状態で錠ケース４の上面に打撃力が付与され、ロックピン７が慣性力により下方に移動しようとした場合には、ピン移動阻止突部６ｄが上部カム受け面７ｄの下降を規制する。
【００３３】
ロック状態からシリンダ錠５を操作してロータ５ｃを解錠回転位置まで回転すると、図６（ｂ）に示すように、カム突部６ａはロックピン７の下部カム受け面７ｅを押し下げ、ロックピン７はロック用頭部７ｂがロック孔３ａから退避する位置まで降下する。この状態でロック体３に対する拘束は解除されるために、以後、図６（ｃ）、図１（ｃ）に示すように、ロック体３を引き出し、さらに、図１（ｄ）に示すように、ロック体３を回転させてロック解除位置に移行させることができる。
【００３４】
また、ロック体３を引き出した状態で、図６（ｄ）に示すように、ロータ５ｃを施錠回転位置に復帰させて解錠キーを抜去すると、カム６は中間回転位置まで駆動される。この状態でロックピン７はロック体３により上方移動を規制されてロック解除位置に留まっており、これからロック体３をロック位置、すなわち、ロックピン７にロック孔３ａが正対する位置に移動させると、支えを失ったロックピン７は圧縮スプリング１１の復元力によりロック位置に復帰する。このとき、カム突部６ａはロックピン７の下部カム受け面７ｅと衝接し、カム６は図６（ａ）に示す施錠回転位置まで回転し、以後、錠ケース４に対する打撃付与による施錠解除を防止する。
【００３５】
以上のロックピン７、圧縮スプリング１１、およびカム６を効率よく組み付けることができるように、錠ケース４には収容凹部９が形成される。図５に示すように、収容凹部９はカム用収容凹部９ａとピン収容凹部９ｂとから構成されて装置筐体１への固定面に凹設され、上記カム６は、円板部６ｂの周壁をほぼ半周に渡って仮保持可能なカム用収容凹部９ａ内に位置決めされて嵌合される。また、圧縮スプリング１１を挿入した状態のロックピン７は、側壁がピン収容凹部９ｂの側壁にガイドされて上下移動自在に嵌合される。
【００３６】
１０は上記収容凹部９を閉塞するカバー体であり、金属製板材により形成される。カバー体１０には、錠ケース４への固定状態においてロックピン７のカム受け膨隆部７ｃと、カム６の円板部６ｂを押さえ付けるための押さえ片１０ａ、１０ｂが折り返される。
【００３７】
したがってこの実施の形態において、ロックピン７、圧縮スプリング１１、およびカム６は錠ケース４に開設された収容凹部９に順次嵌合保持した後、カバー体１０をねじ止めして固定するだけで錠ケース４に組み込むことができるために、高い組立作業性を期待できる。
【００３８】
さらに、錠ケース４にはシリンダ錠５を保持するためにシリンダ収容孔４ｄが開設される。図７に示すように、シリンダ収容孔４ｄは、杆保持孔４ａに平行に配置され、一端が錠ケース４の正面壁に開放される。このシリンダ収容孔４ｄに収容されるシリンダ錠５にはアダプタ１６が外嵌固定され、予めアダプタ１６を固定したシリンダ錠５をシリンダ収容孔４ｄに挿入すると、シリンダ錠５のロータ５ｃの終端が上記カム６のロータ嵌合孔６ｃに嵌合し、両者は回転方向に連結される。
【００３９】
シリンダ錠５の抜去を防止するために、錠ケース４にはストッパプレート１７が配置される。ストッパプレート１７は、図７（ｂ）に示すように、シリンダケース５ｂの外周壁に上方から嵌合可能な切欠部１７ａを下端縁に有して錠ケース４に装着される。このストッパプレート１７はシリンダ収容孔４ｄ内のアダプタ１６の前端面よりやや前方において上下方向に移動自在であり、下方移動ストローク終端において、アダプタ１６の前端面に干渉してアダプタ１６の前方への移動を規制し、結果、シリンダ錠５のシリンダ収容孔４ｄからの抜去を規制する。また、このストッパプレート１７を上方に移動させると、アダプタ１６の移動経路から退避し、シリンダ錠５の抜去が可能になる。ストッパプレート１７を上下方向に駆動するために、ストッパプレート１７には、操作孔１７ｂが開設される。
【００４０】
１８は上記ストッパプレート１７を覆い隠すための遮蔽プレートであり、錠ケース４に形成された止着面に錠固定ねじ１９を使用してねじ止めされる。錠固定ねじ１９は水平姿勢で、かつ、ねじ頭部が上記ロック体３のボルト１５により遮蔽可能な位置に装着される。図８（ａ）に示すように、上記ロック体３は、ロック位置において錠固定ねじ１９の頭部の前方に設定されるボルト収容スペース４ｂに納まって、ねじ頭部を遮蔽する。同時にボルト１５の頭部はボルト収容スペース４ｂ内でシリンダケース５ｂに正対するために、外部から緩めることはできない。
【００４１】
したがってこの実施の形態において、ロック体３がロック位置にあるときには、シリンダ錠５の取出しが不可能であるのに対し、ロック体３をロック解除位置に移動させると、図８（ｂ）に示すように、錠固定ねじ１９の頭部が外部に現れる。この状態で錠固定ねじ１９を取り外して遮蔽プレート１８も取り外すとストッパプレート１７が現れ、この後、操作孔を操作してストッパプレート１７を上方に移動させると、シリンダ錠５を取り外すことができ、さらに、異なった解錠キーに対応するシリンダ錠５に交換することができる。
【図面の簡単な説明】
【００４２】
【図１】本発明を示す図で、（ａ）は自動販売機の装置筐体に固定した状態を示す平面図、（ｂ）は（ａ）の正面図、（ｃ）はロック体を前方に引き出した状態を示す平面図、（ｄ）はロック体をロック解除位置に移動させた状態を示す正面図である。
【図２】図１（ｂ）の２Ａ-２Ａ線断面図である。
【図３】ロック体を示す図で、（ａ）は底面図、（ｂ）は太さの異なる杆主体部の異なった位置に筒状スペーサを固定した状態を示す図、（ｃ）は（ｂ）の３Ｃ方向矢視図である。
【図４】異なった太さの杆主体部を使用したロック体を同一の錠ケースに装着した状態を示す図で、（ａ）は太い杆主体部を使用した図２の４Ａ-４Ａ線断面図、（ｂ）は細い杆主体部を使用した図２の４Ａ-４Ａ線断面図である。
【図５】錠本体の組立方法を示す図で、（ａ）は錠ケースを装置筐体への固定面側から見た分解図、（ｂ）は錠ケースを（ａ）の５Ｂ線に沿って切断した方向から見た分解図である。
【図６】錠本体の動作を示す図で、（ａ）は施錠状態における図２の４Ａ-４Ａ線断面図、（ｂ）は解錠状態における図２の４Ａ-４Ａ線断面図、（ｃ）はロータを施錠回転位置側に回転させた状態における図２の４Ａ-４Ａ線断面図、（ｄ）はカムが中間回転位置にあるときの図２の４Ａ-４Ａ線断面図である。
【図７】シリンダ錠の組付を示す図で、（ａ）は錠ケースを図１の２Ａ-２Ａ線に沿って切断した方向から示す分解図、（ｂ）はストッパプレートの正面図である。
【図８】シリンダ錠の交換方法を示す図で、（ａ）はねじ覆い部で錠固定ねじが遮蔽されている状態を示す正面図、（ｂ）はロック体がロック解除位置にあるときの図１（ａ）の８Ｂ-８Ｂ線断面図である。
【符号の説明】
【００４３】
１        装置筐体
２        扉
３        ロック体
４        錠ケース
５        シリンダ錠
６        カム
７        ロックピン
８        錠本体
９        収容凹部
１０      カバー体
１１      圧縮スプリング
１２      扉規制部
【図１】
2007113332.tif 000003
【図２】
2007113332.tif 000004
【図３】
2007113332.tif 000005
【図４】
2007113332.tif 000006
【図５】
2007113332.tif 000007
【図６】
2007113332.tif 000008
【図７】
2007113332.tif 000009
【図８】
2007113332.tif 000010